(57)【特許請求の範囲】
【請求項１】
主電源とは異なる外部電源を入力し、前記外部電源と絶縁された二次側電源を出力する絶縁電源回路と、
前記絶縁電源回路の一次側に設けられ、前記絶縁電源回路に対して前記外部電源が正常に印加されているか否かを監視し、前記外部電源が正常に印加されていない場合には外部電源異常と判定し、前記絶縁電源回路から前記二次側電源が出力されないように制御する電圧監視回路と、
前記二次側電源が正常に出力された状態でオン状態となり、前記二次側電源が正常に出力されない状態でオフ状態となるスイッチを含んで構成されるスイッチ回路と、
前記絶縁電源回路の二次側において、前記主電源の入力に基づいて生成されるロジック電源とグランドとの間に、プルアップ抵抗と前記スイッチ回路とを直列に接続することで設けられた直列回路と
を備え、
前記プルアップ抵抗と前記スイッチ回路との接続点の電圧は、電源供給信号として外部に出力される
電源供給監視装置。
【請求項２】
前記絶縁電源回路において前記外部電源を入力するための入力端子と、前記外部電源との間に設けられ、オン状態とオフ状態の切り替えが可能な第２スイッチをさらに備え、
前記電圧監視回路は、前記外部電源異常と判定した場合には、前記第２スイッチを前記オフ状態に切り替えることで、前記絶縁電源回路から前記二次側電源が出力されないように制御し、前記外部電源異常でないと判定した場合には、前記第２スイッチを前記オン状態に切り替えることで、前記絶縁電源回路から前記二次側電源が出力されるように制御する
請求項１に記載の電源供給監視装置。
【請求項３】
前記絶縁電源回路は、外部信号に応じて、前記二次側電源を出力する起動状態と、前記二次側電源の出力を停止させる停止状態とが切り替え可能であり、
前記電圧監視回路は、前記外部電源異常と判定した場合には、前記絶縁電源回路を前記停止状態とするように前記外部信号を出力することで、前記絶縁電源回路から前記二次側電源が出力されないように制御し、前記外部電源異常でないと判定した場合には、前記絶縁電源回路を前記起動状態とするように前記外部信号を出力することで、前記絶縁電源回路から前記二次側電源が出力されるように制御する
請求項１に記載の電源供給監視装置。
【請求項４】
前記スイッチ回路に含まれている前記スイッチは、前記二次側電源が正常に出力されたことでオン状態に切り替わるトランジスタまたはＭＯＳ−ＦＥＴによる電子スイッチである
請求項１から３のいずれか１項に記載の電源供給監視装置。
【請求項５】
前記スイッチ回路に含まれている前記スイッチは、前記二次側電源が正常に出力されたことでオン状態に切り替わるリレーによる機械スイッチである
請求項１から３のいずれか１項に記載の電源供給監視装置。
【請求項６】
前記スイッチ回路は、前記二次側電源の電圧の大きさに応じて前記スイッチを保護する保護回路をさらに含む
請求項１から５のいずれか１項に記載の電源供給監視装置。
【請求項７】
前記スイッチ回路は、前記二次側電源の電圧の大きさがあらかじめ設定されたオン電圧値以上になることで前記スイッチを前記オン状態に切り替える電圧調整回路をさらに含む
請求項１から５のいずれか１項に記載の電源供給監視装置。
【請求項８】
前記スイッチが前記オン状態であるか前記オフ状態であるかを入力信号として取り込み、前記入力信号に応じた制御を実行するコントローラをさらに備える請求項１から７のいずれか１項に記載の電源供給監視装置。
【請求項９】
前記コントローラは、前記スイッチが前記オフ状態である場合には、前記二次側電源が正常に出力されない状態であることを外部に報知するための報知信号を出力する
請求項８に記載の電源供給監視装置。
【発明の詳細な説明】
【技術分野】
【０００１】
本発明は、主電源とは異なる外部電源を入力し、外部電源と絶縁された二次側電源を出力する絶縁電源回路の二次側から、絶縁電源回路に対して外部電源が正常に印加されているか否かを監視する電源供給監視装置に関するものである。
【背景技術】
【０００２】
プログラマブル・ロジック・コントローラ（以下、ＰＬＣと称す）、計測装置などのＦＡ（Ｆａｃｔｏｒｙ  Ａｕｔｏｍａｔｉｏｎ）機器では、様々な外部機器との間で入出力が行なわれる。この場合、ノイズ防止、機器間の相互干渉防止、機器の保護などを目的として、外部機器とのインタフェースが絶縁されている。【０００３】
さらに、ＦＡ機器では、電源供給が正常に行われているか否かの診断を行い、診断結果に応じて機器の停止およびユーザへの通知を行うことが求められている。【０００４】
また、信頼性向上のためには、電源供給が不安定な状態、あるいは電圧が過不足である状態が発生しないように、絶縁電源回路を監視することが重要である。そして、これらの状態が発生している場合には、スイッチングトランス、半導体素子などが破損すること、および負荷急変時に出力電圧がチャタリングまたは電圧降下することを防止するために、絶縁電源回路の二次側に接続された負荷を停止させることが必要となる。【０００５】
さらに、ＦＡ機器では、有寿命部品および発熱源を少なくする必要がある。【０００６】
絶縁された二次側電源を生成するために絶縁電源回路に入力される外部電源が、正常に印加されているか否かを監視し、監視結果を示す信号として電源供給信号を出力する場合を考える。この場合、一次〜二次間にフォトカプラを使用して、電源供給信号を絶縁する方法が一般的に用いられている。【０００７】
例えば、絶縁電源回路の一次側に電圧監視回路を設け、電圧監視回路から監視結果として出力される電源供給信号を、フォトカプラによって二次側へ伝送することが行われている。【０００８】
また、絶縁された二次側において、整流ダイオードの両端電圧を監視し、停電を検出する従来技術がある（例えば、特許文献１参照）。【０００９】
また、一次側から二次側に接続したフォトカプラで、絶縁電源回路への電源供給の有無を監視し，電源供給時においてフォトカプラの二次側のトランジスタが導通することで、リセットＩＣの電源供給が開始される従来技術がある（例えば、特許文献２参照）。特許文献２では、このようにして、絶縁電源回路へ電源が正常に供給された際に、リセットＩＣへの電源供給を開始させるＡＮＤ処理が行われている。
【先行技術文献】
【特許文献】
【００１０】
【特許文献１】実開昭６０−４４４３９号公報
【特許文献２】特開２００７−１９２６９０号公報
【発明の概要】
【発明が解決しようとする課題】
【００１１】
しかしながら、従来技術には、以下のような課題を有している。
特許文献１の回路では、フォトカプラにより絶縁された一次〜二次間を伝送する信号がない代わりに、停電検出回路により整流回路のダイオードの電圧を検出している。従って、この場合には、整流回路と停電検出回路との間を絶縁する必要がある。すなわち、停電検出回路を設けるために、第二の絶縁箇所が増える結果となる。【００１２】
また、整流回路の両端電圧は、平滑回路によって平滑されていない。このため、整流回路の両端電圧は、大きなリップルを含んでいる。さらに、一般的には、ダイオードなどの整流素子は、電圧降下が約１Ｖ程度である。従って、検出すべき信号が、微小であり、かつリップルによる外乱が大きいため、特許文献１の回路では、高精度に停電を検出することが困難となる課題があった。【００１３】
一方、特許文献２の回路では、フォトカプラによって導通させた二次側のリセットＩＣを動作させている。このため、フォトカプラがオンできる電圧がフォトカプラの一次側に印加され、かつ、ＶＣＣが正常であればリセットＩＣが解除される。従って、一次側に過大な電圧が印加された場合であっても、リセットＩＣが解除されてしまう課題があった。【００１４】
さらに、特許文献２の回路では、フォトカプラの二次側のトランジスタからリセットＩＣおよび周辺回路の電源を供給し、かつ一次側のツェナーダイオードの電圧を安定させるためには、フォトカプラの一次側に大きな電流を流す必要がある。この場合、フォトカプラの発熱が大きくなり、フォトカプラ自身の寿命が短くなるという課題があった。【００１５】
また，上述した従来技術では、フォトカプラを使用しているため、発熱部品、および有寿命部品を削減することができない課題があった。【００１６】
本発明は、前記のような課題を解決するためになされたものであり、二次側から一次側の電圧を監視するために、一次側〜二次側間にフォトカプラあるいは整流回路を使用することなしに絶縁電源回路の監視を行うことができる、電源供給監視装置を得ることを目的とする。
【課題を解決するための手段】
【００１７】
本発明に係る電源供給監視装置は、主電源とは異なる外部電源を入力し、外部電源と絶縁された二次側電源を出力する絶縁電源回路と、絶縁電源回路の一次側に設けられ、絶縁電源回路に対して外部電源が正常に印加されているか否かを監視し、外部電源が正常に印加されていない場合には外部電源異常と判定し、絶縁電源回路から二次側電源が出力されないように制御する電圧監視回路と、二次側電源が正常に出力された状態でオン状態となり、二次側電源が正常に出力されない状態でオフ状態となるスイッチを含んで構成されるスイッチ回路と、絶縁電源回路の二次側において、主電源の入力に基づいて生成されるロジック電源とグランドとの間に、プルアップ抵抗とスイッチ回路とを直列に接続することで設けられた直列回路とを備え、プルアップ抵抗とスイッチ回路との接続点の電圧は、電源供給信号として外部に出力されるものである。
【発明の効果】
【００１８】
本発明によれば、二次側から一次側の電圧を監視するために、一次側〜二次側間にフォトカプラあるいは整流回路を使用することなしに絶縁電源回路の監視を行うことができる、電源供給監視装置を得ることができる。
【図面の簡単な説明】
【００１９】
【図１】本発明の実施の形態１に係る電源供給監視装置を含む全体構成を示した図である。
【図２】本発明の実施の形態１に係る電源供給監視装置を含む、図１とは異なる構成を有する全体構成を示した図である。
【図３】本発明の実施の形態２に係るスイッチ回路の構成例であり、スイッチとしてトランジスタを用いた場合を示した図である。
【図４】本発明の実施の形態３に係るスイッチ回路の構成例であり、スイッチとしてＭＯＳ−ＦＥＴを用いた場合を示した図である。
【図５】本発明の実施の形態４に係るスイッチ回路の構成例であり、保護回路を備えた場合を示した図である。
【図６】本発明の実施の形態５に係るスイッチ回路の構成例であり、電圧調整回路を備えた場合を示した図である。
【図７】本発明の実施の形態６において、ＰＬＣに対して本発明に係る電源供給監視装置を適用した場合の全体構成を示す図である。
【発明を実施するための最良の形態】
【００２０】
本発明における絶縁電源回路に好適な実施の形態を、上記の図面を用いて説明する。【００２１】
実施の形態１．
図１は、本発明の実施の形態１に係る電源供給監視装置を含む全体構成を示した図である。主電源回路１は、主電源入力１１０に基づいて、ロジック電源１１１を生成する。一方、絶縁電源回路２は、外部電源入力１０１に基づいて、外部電源とは絶縁された二次側電源を生成し、二次側出力１０２として出力する。ここで、外部電源は、装置内で使用される主電源とは異なり、外部から供給される補助電源に相当する。【００２２】
電圧監視回路４は、絶縁電源回路２の一次側に設けられており、外部電源入力１０１として絶縁電源回路２に入力される外部電源が、正常な範囲を有する電圧であるか否かを監視する。ここで、正常な範囲を有する電圧とは、設計時に想定した定格電圧の範囲に相当する。そして、電圧監視回路４は、絶縁電源回路２に対して外部電源が正常に印加されていないとする監視結果が得られた場合には、絶縁電源回路２から二次側電源が出力されないように制御する。【００２３】
図１の例では、絶縁電源回路２は、外部信号に応じて、二次側電源を出力する起動状態と、二次側電源の出力を停止させる停止状態とが切り替え可能な構成を有している。このような構成を有する場合には、電圧監視回路４は、絶縁電源回路２を停止状態とするための外部信号を、絶縁電源回路２に対して出力することで、絶縁電源回路２から二次側電源が出力されないように制御することができる。【００２４】
また、図２は、本発明の実施の形態１に係る電源供給監視装置を含む、図１とは異なる構成を有する全体構成を示した図である。図２の例では、外部電源入力１０１と、絶縁電源回路２において外部電源を入力するための入力端子との間に、第２スイッチ６が設けられている。このような構成を有する場合には、電圧監視回路４は、絶縁電源回路２を停止状態とするために第２スイッチ６をオフ状態に切り替えることで、絶縁電源回路２から二次側電源が出力されないように制御することができる。【００２５】
絶縁電源回路２の二次側において、ロジック電源１１１とグランドとの間には、プルアップ抵抗５とスイッチ回路３との直列回路が設けられている。また、プルアップ抵抗５とスイッチ回路３との接続点の電圧は、電源供給信号１０３として、外部に出力される構成となっている。【００２６】
スイッチ回路３は、絶縁電源回路２の出力である二次側電源が、正常な電圧範囲として二次側出力１０２に出力された状態でオン状態となる。一方、スイッチ回路３は、二次側電源が正常な電圧範囲として二次側出力１０２に出力されない状態でオフ状態となる。従って、スイッチ回路３がオン状態のときには、グランドと同電位のローレベルの信号が電源供給信号１０３として出力される。【００２７】
換言すると、スイッチ回路３は、絶縁電源回路２に対して外部電源が正常な定格電圧として印加されている第１条件と、絶縁電源回路２の出力である二次側電源が絶縁電源回路２から正常に出力されている第２条件とがともに成立することで、オン状態となる。【００２８】
従って、図１あるいは図２の回路構成を備えることで、一次側の電圧過不足による外部電源異常によって絶縁電源回路２が異常動作することを抑制し、かつ、絶縁電源回路２が破損などにより動作せずに二次側電圧が正常に出力されない場合には電源供給信号１０３をオンさせないようにするＡＮＤ条件を構築することができる。この結果、フォトカプラのような有寿命部品および発熱部品を使用せずに、電源供給信号１０３を生成することができる。【００２９】
なお、図１および図２の例では、プルアップ抵抗５の一端がロジック電源１１１と接続されている。ただし、プルアップ抵抗５を他の電源によってプルアップする構成を採用することによっても、同様の効果を得ることができる。また、電源供給信号１０３を生成する回路は、スイッチ回路３とプルダウン抵抗とを組み合わせた回路により構成することも可能である。【００３０】
また、スイッチ回路３は、電子スイッチを含んで構成することもでき、機械スイッチを含んで構成することもできる。なお、スイッチ回路３の具体的な構成に関しては、後述する実施の形態２〜５において詳細に説明する。【００３１】
以上のように、実施の形態１によれば、絶縁電源回路の一次側に設計時に想定した定格電圧が印加されている条件と、絶縁電源回路が電圧を出力している条件とがともに成立することで、スイッチ回路をオンできる構成を備えている。この結果、フォトカプラあるいは整流回路を使用することなしに絶縁電源回路を監視し、監視結果に基づいて電源供給信号を出力することができる電源供給監視装置を実現できる。【００３２】
実施の形態２．
本実施の形態２では、トランジスタを用いてスイッチ回路３を構成する具体例について説明する。図３は、本発明の実施の形態２に係るスイッチ回路３の構成例であり、スイッチとしてトランジスタを用いた場合を示した図である。【００３３】
図３に示したスイッチ回路３は、２つの抵抗３１、ベース抵抗３２、プルダウン抵抗３３、およびトランジスタ３４を備えて構成されている。具体的には、本実施の形態２に係るスイッチ回路３は、電子スイッチの素子として使用されるトランジスタ３４と、二次側出力１０２から供給される電圧を分圧する２つの抵抗３１と、分圧された電圧によりベース抵抗３２およびプルダウン抵抗３３からなる回路を介してスイッチングされるトランジスタ３４とにより構成されている。【００３４】
二次側出力１０２の電圧が抵抗３１によって分圧され、トランジスタ３４のＶＢＥを超える電圧が印加されると、トランジスタ３４がオンし、電源供給信号１０３がローレベルとなる。一方、トランジスタ３４がオフの場合には、プルアップ抵抗５により電源供給信号１０３がロジック電源１１１となり、ハイレベルとなる。この結果、二次側出力１０２の電圧に応じて、ロジック電源１１１の電圧レベルでのハイ／ローの信号が、電源供給信号１０３として出力される。【００３５】
なお、図３に示したベース抵抗３２およびプルダウン抵抗３３は、トランジスタの動作を安定させるための一般的な構成であり、本実施の形態２に係るスイッチ回路３の構成を限定するものではない。【００３６】
実施の形態３．
本実施の形態３では、ＭＯＳ−ＦＥＴを用いてスイッチ回路３を構成する具体例について説明する。図４は、本発明の実施の形態３に係るスイッチ回路３の構成例であり、スイッチとしてＭＯＳ−ＦＥＴを用いた場合を示した図である。【００３７】
図４に示したスイッチ回路３は、２つの抵抗３１、およびＭＯＳ−ＦＥＴ３５を備えて構成されている。具体的には、本実施の形態３に係るスイッチ回路３は、電子スイッチの素子として使用されるＭＯＳ−ＦＥＴ３５と、二次側出力１０２から供給される電圧を分圧する２つの抵抗３１と、分圧された電圧がゲートに印加されるＭＯＳ−ＦＥＴ３５とにより構成されている。そして、印加電圧がＭＯＳ−ＦＥＴ３５のゲート−ソース間のしきい値を超えた場合に、ＭＯＳ−ＦＥＴ３５がオンし、電源供給信号１０３がローレベルとなる。【００３８】
一方、ＭＯＳ−ＦＥＴ３５がオフの場合には、プルアップ抵抗５により電源供給信号１０３がロジック電源１１１となり、ハイレベルとなる。この結果、二次側出力１０２の電圧に応じて、ロジック電源１１１の電圧レベルでのハイ／ローの信号が、電源供給信号１０３として出力される。【００３９】
なお、ゲート−ソース間のしきい値は、ＭＯＳ−ＦＥＴ３５の有する特性によってあらかじめ設定されるパラメータである。従って、所望のしきい値を有するＭＯＳ−ＦＥＴ３５を選定することで、適切な動作を行うスイッチ回路３を設計することが可能である。【００４０】
実施の形態４．
本実施の形態４では、ＭＯＳ−ＦＥＴを用いてスイッチ回路３を構成し、かつ、ツェナーダイオードを用いてＭＯＳ−ＦＥＴのゲート電圧をクランプする具体例について説明する。図５は、本発明の実施の形態４に係るスイッチ回路３の構成例であり、保護回路を備えた場合を示した図である。【００４１】
図５に示したスイッチ回路３は、電流制限抵抗３６、ツェナーダイオード３７、プルダウン抵抗３３、およびＭＯＳ−ＦＥＴ３５を備えて構成されている。具体的には、本実施の形態４に係るスイッチ回路３は、電子スイッチの素子として使用されるＭＯＳ−ＦＥＴ３５と、二次側出力１０２から供給される電圧を分圧する電流制限抵抗３６とプルダウン抵抗３３とが配置されている。さらに、本実施の形態４に係るスイッチ回路３において、電流制限抵抗３６とプルダウン抵抗３３との接続点には、一端がグランドに接続されたツェナーダイオード３７が配置されている。そして、分圧された電圧がＭＯＳ−ＦＥＴ３５のゲート−ソース間のしきい値を超えた場合に、ＭＯＳ−ＦＥＴ３５がオンし、電源供給信号１０３がローレベルとなる。【００４２】
一方、ＭＯＳ−ＦＥＴ３５がオフの場合には、プルアップ抵抗５により電源供給信号１０３がロジック電源１１１となり、ハイレベルとなる。この結果、二次側出力１０２の電圧に応じて、ロジック電源１１１の電圧レベルでのハイ／ローの信号が、電源供給信号１０３として出力される。【００４３】
また、二次側出力１０２の電圧が大きい場合には、ツェナーダイオード３７によってＭＯＳ−ＦＥＴ３５のゲートに印加される電圧がクランプされることで、ＭＯＳ−ＦＥＴ３５が保護される。従って、図５に示した構成により、保護回路を備えたスイッチ回路３を実現できる。【００４４】
なお、ツェナーダイオード３７のツェナー電流は、電流制限抵抗３６と二次側出力１０２によって決定される。【００４５】
また、ツェナーダイオード３７は、電圧がクランプできる素子であれば、他の素子を代用することができる。例として、シリコンダイオード、あるいは発光ダイオード（ＬＥＤ）の順方向電圧によって、ＭＯＳ−ＦＥＴ３５のゲートに印加される電圧をクランプしてもよい。あるいは、シャントレギュレータなどのＩＣによって定電圧化し、ＭＯＳ−ＦＥＴ３５のゲートに印加される電圧をクランプしてもよい。【００４６】
実施の形態５．
本実施の形態５では、ＭＯＳ−ＦＥＴを用いてスイッチ回路３を構成し、かつ、ツェナーダイオードを用いてＭＯＳ−ＦＥＴのオン電圧をかさ上げする具体例について説明する。図６は、本発明の実施の形態５に係るスイッチ回路３の構成例であり、電圧調整回路を備えた場合を示した図である。【００４７】
図６に示したスイッチ回路３は、電流制限抵抗３６、ツェナーダイオード３７、プルダウン抵抗３３、およびＭＯＳ−ＦＥＴ３５を備えて構成されている。具体的には、本実施の形態５に係るスイッチ回路３は、電子スイッチの素子として使用されるＭＯＳ−ＦＥＴ３５と、二次側出力１０２から供給される電圧を分圧するツェナーダイオード３７と電流制限抵抗３６とが配置されている。さらに、本実施の形態２に係るスイッチ回路３において、ツェナーダイオード３７と電流制限抵抗３６との接続点は、プルダウン抵抗３３およびＭＯＳ−ＦＥＴ３５のゲートに接続されている。【００４８】
ツェナーダイオード３７のツェナー電圧値を超えない場合には、ツェナーダイオード３７が導通しない。このため、ＭＯＳ−ＦＥＴのオン電圧をかさ上げすることができる。従って、図６に示した構成により、ＭＯＳ−ＦＥＴのオン電圧を調整する電圧調整回路を備えたスイッチ回路３を実現できる。【００４９】
なお、上述した実施の形態２〜５では、スイッチ回路３に含まれるスイッチを電子スイッチとして構成する場合について説明したが、リレーを用いることで機械スイッチを含む構成とすることも可能である。【００５０】
実施の形態６．
図７は、本発明の実施の形態６において、ＰＬＣに対して本発明に係る電源供給監視装置を適用した場合の全体構成を示す図である。具体的には、本実施の形態６では、上述した実施の形態１〜５に係る電源供給監視装置を、ビルディングブロックタイプＰＬＣのアナログ出力ユニットに適用した場合について説明する。【００５１】
絶縁電源回路２およびアイソレータ１２によって、アナログ出力１１４およびＤ／Ａ回路１１は、ＰＬＣから絶縁されている。【００５２】
主電源入力１１０には、ベースから供給されるユニットの主電源が接続される。主電源の電圧は、電圧監視回路４ｂによって監視される。降圧回路７ａ、７ｂがオンすることで、アナログ出力ユニットのコントローラに相当するマイコン８が起動される。マイコン８は、Ｉ／Ｆ回路９および外部Ｉ／Ｆ１１３を介して、ＰＬＣのＣＰＵと双方向通信を行い、アナログ出力ユニットの制御を実行する。【００５３】
なお、スイッチがオン状態であるかオフ状態であるかを入力信号として取り込み、入力信号に応じた制御を実行するコントローラは、マイコン８には限定されない。コントローラとは、マイコンを使用せずに、ロジック回路あるいはリレー回路で入出力を制御するような装置も含むものである。【００５４】
アナログ出力ユニットが起動しているときには、外部電源入力１０１が印加されていなくても、マイコン８とＣＰＵとは通信でき、ＣＰＵからアナログ出力ユニットを制御することが可能である。ただし、外部電源入力１０１が印加されていない場合には、マイコン８は、Ｄ／Ａ回路１１への出力指令を行わない。【００５５】
さらに、マイコン８は、外部電源入力１０１が印加されていない場合には、報知信号を出力することで、ＬＥＤ１０により外部電源入力１０１が印加されていないことを、ユーザに報知することができる。この際、ＰＬＣのＣＰＵは、マイコン８と双方向通信を行うことで、この報知信号を検知することができる。【００５６】
なお、ＬＥＤ１０は、ユーザに対して視覚的に報知を行うために用いられており、ＬＥＤ１０以外にも、表示器、ブザーなどによって報知を行うことが可能である。【００５７】
図７において、絶縁電源回路２、スイッチ回路３、および電圧監視回路４ａを用いて、外部電源入力１０１に基づいて電源供給信号を生成する構成は、図１および図４の構成を備えた電源供給監視装置に相当する。【００５８】
従って、図７に示した電源供給監視装置を適用することで、外部電源入力１０１に設計時において想定した定格電圧が正常に印加され、かつ絶縁電源回路２が動作して二次側出力１０２が出力されている場合に、電源供給信号１０３が入力信号としてマイコン８に通知されることとなる。【００５９】
この結果、マイコン８は、電源供給信号１０３を取り込むことで、フォトカプラなどを使用せず、絶縁電源回路２の一次〜二次間の信号を使用せずに、二次側から、一次側である外部電源入力１０１の供給有無を、間接的に判定することができる。【００６０】
さらに、絶縁電源回路２が破損などにより動作しない場合には、電源供給信号１０３が無効化される。このため、マイコン８は、絶縁電源回路２の故障時にも、異常であることを検知できる。従って、マイコン８は、電源供給信号１０３をフェールセーフとしても使用できる。【００６１】
以上の説明から明らかなように、本発明に係る電源供給監視装置は、ＰＬＣ，計測器など、主電源と別に絶縁された外部電源を有し、外部電源の供給有無の判定結果に応じて動作を変更する産業用機器において、利用することができる。【００６２】
産業用機器の動作の具体例としては、絶縁されたＤ／Ａ出力、絶縁されたＡ／Ｄ出力、計装、温度入力、ネットワークユニット、通信Ｉ／Ｆを有するユニットなどが挙げられる。また、適用例として、サーボアンプに本発明に係る電源供給監視装置を適用することで、モータの電源電圧が異常な場合にサーボ制御を停止させることができる。【００６３】
また、別の適用例として、計測器に本発明に係る電源供給監視装置を適用することで、通信機器用電源が供給されていない場合に、計測を停止させることができる。【００６４】
バッテリを主電源として使用し、外部電源に相当する補助電源としてＡＣ電源を接続できる機器においては、補助電源が供給されなくなった場合に、データを保存しスタンバイ状態とするなどの適用も可能である。
【符号の説明】
【００６５】
１  主電源回路、２  絶縁電源回路、３  スイッチ回路、４、４ａ、４ｂ  電圧監視回路、５  プルアップ抵抗、６  第２スイッチ、７ａ、７ｂ  降圧回路、８  マイコン、９、Ｉ／Ｆ回路、１０  ＬＥＤ（報知装置）、１１  Ｄ／Ａ回路、１２  アイソレータ、３１  抵抗、３２  ベース抵抗、３３  プルダウン抵抗、３４  トランジスタ、３５  ＭＯＳ−ＦＥＴ、３６  電流制限抵抗、３７  ツェナーダイオード、１０１  外部電源入力、１０２  二次側出力、１０３  電源供給信号、１１０  主電源入力、１１１  ロジック電源、１１２  マイコン電源、１１３  外部Ｉ／Ｆ、１１４  アナログ出力。
【図１】
0006868708.tif 000002
【図２】
0006868708.tif 000003
【図３】
0006868708.tif 000004
【図４】
0006868708.tif 000005
【図５】
0006868708.tif 000006
【図６】
0006868708.tif 000007
【図７】
0006868708.tif 000008